(57)【特許請求の範囲】
【請求項１】
雌ネジが形成された複数のネジ駒と、
該複数のネジ駒を前記雌ネジの縮径方向に付勢するとともに一体化するネジ駒一体化手段と、
該ネジ駒一体化手段により一体化された前記複数の各ネジ駒を拡径方向と平行な方向に移動可能に収納し、前記ネジ駒の雌ネジと螺合する雄ネジが挿通される雄ネジ挿通孔が形成された雌ネジケースと、
前記ネジ駒と係合可能となっており、当該係合によりネジ駒の拡径方向への移動を拘束する拘束部材とを備えていることを特徴とする簡易締結装置。
【請求項２】
前記各ネジ駒に係合し、前記一体化されたネジ駒のネジ穴の位置を前記雄ネジ挿通孔の位置に合わせる位置決め手段をさらに備えていることを特徴とする請求項１記載の簡易締結装置。
【請求項３】
前記拘束部材はネジ駒と係合可能となるように前記雌ネジケースに取り付けられていることを特徴とする請求項１記載の簡易締結装置。
【請求項４】
前記各ネジ駒に円錐状の凸部が形成されており、前記拘束部材は、前記凸部に対応した円錐状の凹部が形成され、この凹部が前記雄ネジの挿入に伴って前記凸部と嵌合してネジ駒の拡径方向への移動を拘束するように前記雌ネジケース内に移動可能に設けられた固定駒からなることを特徴とする請求項１記載の簡易締結装置。
【請求項５】
前記各ネジ駒に円錐状の凸部が形成されており、前記拘束部材は、前記凸部に対応した円錐状の凹部が形成され、この凹部が前記雄ネジの挿入に伴って前記凸部と嵌合してネジ駒の拡径方向への移動を拘束するように前記雌ネジケースに嵌合されるカバー体からなることを特徴とする請求項１記載の簡易締結装置。
【請求項６】
前記ネジ駒一体化手段は、複数の各ネジ駒の外周部に、各ネジ駒に渡って連続して形成された溝と、各ネジ駒の前記溝に掛け回された弾性体により構成されたリングとを備えていることを特徴とする請求項１記載の簡易締結装置。
【請求項７】
前記ネジ駒一体化手段は、複数の各ネジ駒の外周面に形成され、前記各ネジ駒を収納した雌ネジケースの内周面に先端部が当接した弾性を有した弾性舌状部材により、前記複数のネジ駒を雌ネジの縮径方向に付勢するとともに一体化することを特徴とする請求項１記載の簡易締結装置。
【請求項８】
前記ネジ駒一体化手段は、雌ネジケースの内側周面に形成され、雌ネジケースに収納された複数の各ネジ駒の外周面に先端部が当接した弾性を有した弾性舌状部材により、前記複数のネジ駒を雌ネジの縮径方向に付勢するとともに一体化することを特徴とする請求項１記載の簡易締結装置。
【発明の詳細な説明】
【０００１】
【発明の属する技術分野】
この発明は、締め付けおよび取り外しの容易な作業性を向上させた簡易締結装置に関する。
【０００２】
【従来の技術】
従来、例えば建築現場や製品の組立現場で使用されている簡易締結装置（以下、ナットという）は、雄ネジへの挿入、雄ネジを介しての部材の締め付け、雄ネジからの取り外しの際に回転させる操作が必要であった。特に高い場所や狭い場所でナットを回転させてナットの締め付け、取り外しを行う作業は容易でない。
このため、作業性を向上させたワンタッチで雄ネジへの挿入、雄ネジを介して部材の締め付けの可能なナットとして、実公昭５５−４８１７１号公報に開示されているものが知られているが、ナットの取り外しに際しては回転させる操作が必要である。
さらにワンタッチで雄ネジへの挿入、雄ネジを介しての部材の締め付け、雄ネジからの取り外しの可能なナットとしては、特公昭５５−５０２０３号公報に開示されているものが知られているが、雄ネジへの挿入、雄ネジからの取り外しのたびに操作環を回転させる操作が必要である。
【０００３】
【発明が解決しようとする課題】
従来の簡易締結装置は以上のように構成されていたので、実公昭５５−４８１７１号公報に開示されている技術では、ナットの取り外しに際してのナットの回転操作に改良の余地があり、ナットの取り外しの際の作業性の向上が図られていない課題があった。
【０００４】
また、特公昭５５−５０２０３号公報に開示されている技術では、雄ネジへの挿入、雄ネジからの取り外しのたびに操作環を操作する手間が必要であり、さらに構造も複雑でコスト高となる課題があった。
【０００５】
本発明は上記事情に鑑みてなされたものであり、雄ネジへの挿入、雄ネジを介しての部材の締め付け、雄ネジからの取り外しの際の作業性を向上させ、さらに簡単な構造によりコストの上昇も抑制できる簡易締結装置を提供することを目的とする。
【０００６】
【課題を解決するための手段】
本発明に係る簡易締結装置は、雌ネジが形成された複数のネジ駒と、該複数のネジ駒を前記雌ネジの縮径方向に付勢するとともに一体化するネジ駒一体化手段と、該ネジ駒一体化手段により一体化された前記複数の各ネジ駒を拡径方向と平行な方向に移動可能に収納し、前記ネジ駒の雌ネジと螺合する雄ネジが挿通される雄ネジ挿通孔が形成された雌ネジケースと、前記ネジ駒と係合可能となっており、当該係合によりネジ駒の拡径方向への移動を拘束する拘束部材とを備えていることを特徴とする。
【０００７】
また、本発明に係る簡易締結装置は、前記各ネジ駒に係合し、前記一体化されたネジ駒のネジ穴の位置を前記雄ネジ挿通孔の位置に合わせる位置決め手段をさらに備えていることを特徴とする。
【０００８】
また、本発明に係る簡易締結装置は、前記拘束部材はネジ駒と係合可能となるように前記雌ネジケースに取り付けられていることを特徴とする。
【０００９】
また、本発明に係る簡易締結装置は、前記各ネジ駒に円錐状の凸部が形成されており、前記拘束部材は、前記凸部に対応した円錐状の凹部が形成され、この凹部が前記雄ネジの挿入に伴って前記凸部と嵌合してネジ駒の拡径方向への移動を拘束するように前記雌ネジケース内に移動可能に設けられた固定駒からなることを特徴とする。
【００１０】
また、本発明に係る簡易締結装置は、前記各ネジ駒に円錐状の凸部が形成されており、前記拘束部材は、前記凸部に対応した円錐状の凹部が形成され、この凹部が前記雄ネジの挿入に伴って前記凸部と嵌合してネジ駒の拡径方向への移動を拘束するように前記雌ネジケースに嵌合されるカバー体からなることを特徴とする。
【００１１】
また、本発明に係る簡易締結装置は、前記ネジ駒一体化手段は、複数の各ネジ駒の外周部に、各ネジ駒に渡って連続して形成された溝と、各ネジ駒の前記溝に掛け回された弾性体により構成されたリングとを備えていることを特徴とする。
【００１２】
また、本発明に係る簡易締結装置は、前記ネジ駒一体化手段は、複数の各ネジ駒の外周面に形成され、前記各ネジ駒を収納した雌ネジケースの内周面に先端部が当接した弾性を有した弾性舌状部材により、前記複数のネジ駒を雌ネジの縮径方向に付勢するとともに一体化することを特徴とする。
【００１３】
また、本発明に係る簡易締結装置は、前記ネジ駒一体化手段は、雌ネジケースの内側周面に形成され、雌ネジケースに収納された複数の各ネジ駒の外周面に先端部が当接した弾性を有した弾性舌状部材により、前記複数のネジ駒を雌ネジの縮径方向に付勢するとともに一体化することを特徴とする。
【００１５】
【発明の実施の形態】
以下、本発明の一実施の形態例を図について説明する。
図１は、第１の実施の形態による簡易締結装置の構成を示す構造図であり、同図（ａ）は簡易締結装置の平面図、同図（ｂ）は正面図、同図（ｃ）は底面図、同図（ｆ）は同図（ａ）のＡ−Ａ断面構造を示す断面図、同図（ｅ）はネジ駒保持部材の断面図である。これらの図において、１はナットケース、２および３は半円環形状を有したネジ駒、５はカバー体である。
【００１６】
図２は、ナットケース１の構成を示す構造図であり、同図（ａ）はナットケースの平面図、同図（ｂ）は正面図、同図（ｃ）は底面図、同図（ｄ）は同図（ａ）におけるＡ−Ａ断面構造を示す断面図である。これらの図において、１ａはネジ駒２，３を拡径方向に移動可能に収納する有底長穴、１ｂは雄ネジが挿通される雄ネジ挿通孔、１ｃはネジ駒２，３が一体化されて構成される雌ネジ体の雌ネジのネジ穴の位置を、ナットケース１に形成された前記雄ネジ挿通孔１ｂの位置に位置決めするための前記有底長穴１ａの底部に構成された位置決め凸部、１ｄはカバー体をナットケース１と嵌合させ一体化させるための係止凹部である。
【００１７】
図３は、ネジ駒２，３の構成を示す構造図であり、同図（ａ）は雌ネジが形成された雌ネジ体を構成する２つのネジ駒の内の一方のネジ駒を示す平面図、同図（ｂ）は正面図、同図（ｃ）は底面図である。また、図３の（ｄ）は前記２つのネジ駒により構成された雌ネジ体を示す平面図、同図（ｅ）は正面図、同図（ｆ）は底面図である。これらの図において、２ｂはネジ駒２に形成された雌ネジ、３ｂはネジ駒３に形成された雌ネジであり、ネジ駒２の雌ネジ２ｂとネジ駒３の雌ネジ３ｂは組になって１つのナットに構成され、ネジ駒２の雌ネジ２ｂとネジ駒３の雌ネジ３ｂとのピッチの位相差は半ピッチになっている。２ｃはネジ駒２の一方の端部に構成された小径部、２ｄはネジ駒２の他方の端部に構成された大径部、３ｃはネジ駒３の一方の端部に構成された小径部、３ｄはネジ駒３の他方の端部に構成された大径部である。
【００１８】
２ｅはネジ駒２の他方の端部に構成された大径部２ｄの外周面に形成された溝、３ｅはネジ駒３の他方の端部に構成された大径部３ｄの外周面に形成された溝であり、これら溝２ｅ，３ｅには図１の（ｄ）に示すように弾性を有した例えばＯリング４が装着され、このＯリング４によりネジ駒２およびネジ駒３は拡径方向に移動可能に常に一体化されている。なお、このＯリングの代りに弾性を有したＣリングを用いることも可能である。２ａはネジ駒２の他方の端部に構成された大径部２ｄに形成された切欠部、３ａはネジ駒３の他方の端部に構成された大径部３ｄに形成された切欠部であり、これら切欠部２ａ，３ａは、図２に示した位置決め凸部１ｃに嵌合し、ネジ駒２，３が一体化されて構成される雌ネジ体の雌ネジのネジ穴の位置を、ナットケース１に形成された前記雄ネジ挿通孔１ｂの位置に位置決めする。
【００１９】
図４は、前記ナットケース１にネジ駒２，３を収納するためのカバー体５の構成を示す構造図であり、同図（ａ）はカバー体の平面図、同図（ｂ）は正面図、同図（ｃ）は底面図、同図（ｄ）は同図（ａ）のＡ−Ａ断面構造を示す断面図である。これらの図において、５ａはカバー体５をナットケース１に嵌合させ、ナットケース１と一体化するための係止凸部であり、ナットケース１の係止凹部１ｄと嵌合する。５ｂはネジ駒２，３の小径部２ｃ，３ｃが突出し、ネジ駒２，３を拡径方向に移動可能にする透孔である。
Ｏリング４により一体化されているネジ駒２，３は、ナットケース１の有底長穴１ａに収納されている状態で、ナットケース１へ係止凸部５ａにより嵌合したカバー体５によりナットケース１からの抜け落ちが防止される。
【００２０】
また、図１（ｅ）に示す符号６はネジ駒保持部材であり、ネジ駒２，３の小径部２ｃ，３ｃの外径よりわずかに大きな内径のネジ駒保持穴６ａが形成されている。なお、このネジ駒保持部材６は、被締結部材でもよく、その場合は被締結部材にネジ駒保持穴６ａが形成されることになる。
【００２１】
次に動作について説明する。
図５は、この簡易締結装置の各部の動作を示す動作説明図であり、同図（ａ）に示すように雄ネジであるボルト５１に対しこの簡易締結装置をＡ方向へ挿入すると、同図（ｂ）に示すごとく、Ｏリング４の付勢力に抗してネジ駒２およびネジ駒３が拡径方向に移動する。実際には、ボルト５１のネジ山をネジ駒２、ネジ駒３の雌ネジのネジ山が乗り越えるたびに、ネジ駒２およびネジ駒３が図５（ｂ）に（イ）で示す拡径方向と、（ロ）で示す縮径方向への移動を繰り返す。このため、雄ネジ挿通孔１ｂからボルト５１を押し込むことで、回転させることなく自由にボルト５１の所望の位置へこの簡易締結装置を配置することが出来る。この状態では、ネジ駒２およびネジ駒３の雌ネジがＯリング４によりボルト５１に圧接して、ボルト５１に対し簡易締結装置はずり落ちることなく所望の位置に配置された状態を維持している。
そして、この簡易締結装置を配置した後、図５の（ｃ）に示すようにネジ駒保持部材６のネジ駒保持穴６ａをネジ駒２，３の小径部２ｃ，３ｃに嵌合させることによりネジ駒２，３の拡径方向の移動は阻止され、一つのナットとして機能し、ネジ駒保持部材６または図５の（ｄ）に示すように被締結部材にネジ駒保持穴６ａが形成されているときには当該被締結部材を支えたり、締め付けたりすることが出来る。
【００２２】
以上のように、この第１の実施の形態によれば、ネジ駒保持部材６のネジ駒保持穴６ａをネジ駒２，３の小径部２ｃ，３ｃに嵌合させないかぎり、ボルト５１を所望の位置へ回転させることなく自由に移動可能であるため、ボルト５１への挿入、ボルト５１を介しての部材の締め付け、ボルト５１からの取り外しの際の作業性が向上し、さらにナットケース１、ネジ駒２，３、Ｏリング４、カバー体５および必要に応じてネジ駒保持部材６など合計６点程度の部品点数から構成されている簡単な構造であることからコストの上昇も抑制できる効果がある。
【００２３】
次に、本発明の第２の実施の形態を図について説明する。
図６は、第２の実施の形態による簡易締結装置の構成および各部の動作を示す構造図であり、本簡易締結装置のネジ駒保持部材６のネジ駒保持穴６ａの内周面はテーパが付されたテーパ面として構成されている。また、ネジ駒保持穴６ａと嵌合するネジ駒２，３の小径部２ｃ，３ｃの外周面も、前記ネジ駒保持穴６ａのテーパ面と合致するテーパが付されたテーパ面として構成されている。
本実施の形態の簡易締結装置では、前記第１の実施の形態の効果が得られるだけでなく、図６の（ｂ）に示すようにネジ駒２，３の小径部２ｃ，３ｃへのネジ駒保持部材６の嵌合が容易になると共に、同図（ｃ）に示すようにテーパの効果によりネジ駒２，３の雌ネジ２ｂ，３ｂがボルト５１へ強く押さえつけられることとなり、ネジ駒保持部材６または被締結部材にネジ駒保持穴６ａが形成されているときには当該被締結部材をより強固に締め付けることが出来、さらにネジの弛み止めの効果も期待できる。
【００２４】
次に、本発明の第３の実施の形態を図について説明する。
図７（ａ）は、第３の実施の形態による簡易締結装置の構成を示す構造図であり、図において２ｇはネジ駒２の大径部２ｄの外側周面に形成された弾性を有した弾性舌部、３ｇはネジ駒３の大径部３ｄの外側周面に形成された弾性を有した弾性舌部である。これら弾性舌部２ｇ，３ｇの先端部は、ナットケース１の有底長穴１ａの内側周面に当接しており、ネジ駒２，３をその雌ネジの縮径方向に付勢するとともに一体化している。
【００２５】
なお、図７の（ｂ）に示すように、弾性舌部１ｅ，１ｆをナットケース１の有底長穴１ａの内側周面に構成するようにしてもよい。この場合、弾性舌部１ｅ，１ｆの先端部は、ネジ駒２，３の大径部の外側周面へ当接し、ネジ駒２，３をその雌ネジの縮径方向に付勢するとともに一体化する。
【００２６】
本実施の形態の簡易締結装置では、前記第１の実施の形態の効果が得られるだけでなく、Ｏリングなどを用いることなくネジ駒２，３をその雌ネジの縮径方向に付勢するとともに一体化することが出来るため、備品点数もさらに少なくなり、また組み立ても容易になる効果がある。
【００２７】
次に、本発明の第４の実施の形態を図について説明する。
図８は、第４の実施の形態による簡易締結装置の構成を示す構造図である。この簡易締結装置では、ネジ駒保持部材６のネジ駒保持穴６ａに嵌合凹部６ｂを構成し、またネジ駒２，３の小径部２ｃ，３ｃに嵌合凸部２ｆ，３ｆを構成する。
そして、図８の（ａ）に示すようにネジ駒保持穴６ａをネジ駒２，３の小径部２ｃ，３ｃに対し図中（ハ）の方向に押し込むことにより、嵌合凹部６ｂへ嵌合凸部２ｆ，３ｆが嵌合されて一つのナットとして機能する。同図（ｂ）はこの状態を示している。
【００２８】
本実施の形態の簡易締結装置では、ネジ駒保持部材６のネジ駒保持穴６ａに構成された嵌合凹部６ｂへネジ駒２，３の小径部２ｃ，３ｃに構成された嵌合凸部２ｆ，３ｆが嵌合された状態では、ネジ駒保持部材６はネジ駒２，３の小径部２ｃ，３ｃからは容易に外れなくなるため、被締結部材の形状、状態にかかわらず確実に一つのナットとして機能する状態を維持することが可能になる効果がある。
【００２９】
次に、第５の実施の形態を図について説明する。
図９は、第５の実施の形態による簡易締結装置の構成を示す構造図である。この簡易締結装置では、前記第４の実施の形態における嵌合凹部６ｂ、嵌合凸部２ｆ，３ｆを構成するとともに、ネジ駒保持部材６に仮保持用の突起６ｄを構成し、さらにカバー体５の端部へ前記突起６ｄと係合する係止部５ｂを構成し、ネジ駒保持部材６がカバー体５、ナットケース１の側面に沿って移動可能に構成する。そして、ネジ駒保持部材６が係止部５ｂによりカバー体５へ係止された状態で、ネジ駒保持部材６をカバー体５へ仮保持できるようにする。なお、この状態では図９の（ａ）に示すようにネジ駒２，３は拡径方向へ移動可能である。
【００３０】
本実施の形態の簡易締結装置では、ネジ駒保持部材６は簡易締結装置本体へ仮保持されているので、ネジ駒保持部材６と簡易締結装置本体とを一体物として扱うことが出来、ネジ駒保持部材６の紛失を防止でき、携帯も容易になり、作業性を向上できる効果がある。
【００３１】
次に、第６の実施の形態を図について説明する。
図１３は、第６の実施の形態による簡易締結装置の構成および各部の動作を示す構造図である。この簡易締結装置では、ナットケース１内に、弾性体７を介してネジ駒２，３を押す固定駒８が設けられている。ネジ駒２，３には円錐形状の凸部２ｒ，３ｒが構成され、また固定駒８には前記ネジ駒２，３に構成された円錐形状の凸部２ｒ，３ｒと合致する円錐形状の凹部８ａが構成されている。
【００３２】
本簡易締結装置では、簡易締結装置本体をＡ方向へ移動させ、ボルト５１が簡易締結装置本体に押し込まれると、Ｏリング４の付勢力に抗してネジ駒２，３が拡径方向に移動する。実際にはボルト５１のネジ山をネジ駒２，３のネジ山が越えるたびに、ネジ駒２，３は図１３の（ｂ）に（イ）で示す拡径方向および（ロ）で示す縮径方向の移動を繰り返すので、押し込むだけでよく簡易締結装置本体を回す必要はない。簡易締結装置本体をＡ方向へと押し込んでいくと、相手部材６１に固定駒８の下端が当接し、固定駒８が上方へ移動し、ネジ駒２，３の円錐形状の凸部２ｒ，３ｒが固定駒８の円錐形状の凹部８ａと嵌合する。その後、固定駒８の円錐形状の凹部８ａによりネジ駒２，３の拡径方向の移動は阻止され、１つのナットとして機能し、相手部材を支持したり締め付けることが出来る。また、円錐形状の凸部２ｒ，３ｒが固定駒８の円錐形状の凹部８ａと嵌合するため、弛み止めの効果もある。
【００３３】
次に、第７の実施の形態を図について説明する。
図１４は、第７の実施の形態による簡易締結装置の構成および各部の動作を示す構造図である。この簡易締結装置では、ナットケース１内に、円錐形状の凹部５ｒが構成されたカバー体５によリ、弾性体７を介してネジ駒２，３が収納されている。ネジ駒２，３には、カバー体５の円錐形状の凹部５ｒと嵌合する円錐形状の凸部２ｒ，３ｒが構成されている。
【００３４】
本簡易締結装置では、簡易締結装置本体を図１４（ａ）のＡ方向へ移動させ、ボルト５１が簡易締結装置本体に押し込まれると、Ｏリング４の付勢力に抗してネジ駒２，３が拡径方向に移動する。実際にはボルト５１のネジ山をネジ駒２，３のネジ山が越えるたびに、ネジ駒２，３は図１４の（ｂ）に（イ）で示す拡径方向および（ロ）で示す縮径方向の移動を繰り返すので、押し込むだけでボルト５１へ簡易締結装置本体を装着でき回す必要はない。簡易締結装置本体を図１４に示すＡ方向へ押し込んでいくと、相手部材６１にネジ駒２，３の下端が当接し、ネジ駒２，３が上方へ移動し、ネジ駒２，３の円錐形状の凸部２ｒ，３ｒ、カバー体５の円錐形状の凹部５ｒと嵌合する。その後、カバー体５の円錐形状の凹部５ｒによりネジ駒２，３の拡径方向の移動は阻止されて１つのナットとして機能し、相手部材６１を支持したり、締め付けることが出来る。本例においても弛み止めの効果がある。
【００３５】
図１０、図１１、図１２は、以上説明した各実施の形態の簡易締結装置の用途例を示す説明図である。
蛍光灯を取り付けるには、従来、図１０に示すように天井裏（階上の床）に固定されているボルト５１に、蛍光灯のフレーム５０の穴を通し、その後、ナット５２を用いて蛍光灯を固定する作業手順になる。この場合、ナット５２を回す作業が面倒であり、さらに高所作業であることから安全面での問題もある。
このような作業において以上説明した各実施の形態の簡易締結装置を用いる場合には、前記蛍光灯のフレーム５０の穴をネジ駒保持穴とすることにより、ボルト５１に前記ネジ駒保持穴である前記蛍光灯のフレーム５０の穴を通し、簡易締結装置本体のネジ駒２，３の小径部２ｃ，３ｃに前記蛍光灯のフレーム５０の穴を嵌合させるだけで蛍光灯の取り付けは完了する。なお、この状態で蛍光灯の高さの微調整を行うときには、簡易締結装置本体を回すことにより行う。
【００３６】
また、天井を取り付けるには、従来、図１１に示すように前段階として天井裏（階上の床）に固定されているボルト５１に天井を支えるハンガー５３を取り付けるが、前記蛍光灯と同様にボルト５１へ前記ハンガー５３の固定用穴を通しナット５２で固定しており、ナット５２を回すという作葉が面倒であり、さらに高所作業であることから安全面での問題もある。
このような作業において以上説明した各実施の形態の簡易締結装置を用いる場合には、前記ハンガー５３の固定用穴をネジ駒保持穴とすることにより、ボルト５１に前記ハンガー５３の固定用穴を通した後、簡易締結装置本体をボルト５１へ通し、ネジ駒２，３の小径部２ｃ，３ｃにハンガー５３の固定用穴を嵌合させるだけで、ハンガー５３の取り付けは完了する。なお、ハンガー５３の高さの微詔整は、簡易締結装置本体を回すことにより行う。
【００３７】
また、排水管の配管工事は、図１２に示すように床から直立しているボルト５１に、排水管５４を支持するバンド５５とナット５２を使用して取り付けるが、排水管５４の勾配を考慮しながらの取り付けとなるので、ナット５２を回して高さ調整しなければならず、極めて面倒な作業である。
このような作業において以上説明した各実施の形態の簡易締結装置を用いる場合には、バンド５５の固定用穴をネジ駒保持穴とすることにより、簡易締結装置本体をボルト５２へ通し、高さを概略調整した後、バンド５５の固定用穴をボルト５２へ通し簡易締結装置本体のネジ駒２，３の小径部２ｃ，３ｃにバンド５５の固定用穴を嵌合させるだけで、バンド５５の取り付けは完了する。なお排水管５４の勾配の微調整は簡易締結装置本体を回すことにより行うことが出来る。
なお、上記した用途の他にも、天井裏の電気配線の支持、ダクトの取り付け等その用途は広い。
【００３８】
【発明の効果】
以上のように、本発明によれば、雌ネジが形成された複数のネジ駒と、該複数のネジ駒を前記雌ネジの縮径方向に付勢するとともに一体化するネジ駒一体化手段と、該ネジ駒一体化手段により一体化された前記複数の各ネジ駒を拡径方向と平行な方向に移動可能に収納し、前記ネジ駒の雌ネジと螺合する雄ネジが挿通される雄ネジ挿通孔が形成された雌ネジケースと、前記ネジ駒と係合可能に前記雌ねじケースに取り付けられ、前記係合によりネジ駒の拡径方向への移動を拘束する拘束部材とを備えているので、雄ネジを雄ネジ挿通孔へ押し込むと前記複数の各ネジ駒は雌ネジの径方向に移動して前記雄ネジの所望の位置への自由な移動が可能になり、またネジ駒の拡径方向への移動を拘束する拘束部材を備えていることから、各ネジ駒の拡径方向の移動が拘束されて前記各ネジ駒は１つの雌ネジ体として機能するため、雄ネジへの挿入、雄ネジを介しての部材の締め付け、雄ネジからの取り外しの際の作業性が向上し、さらに簡単な構造によりコストの上昇も抑制できる効果がある。
【図面の簡単な説明】
【図１】この発明の第１の実施の形態による簡易締結装置の構成を示す構造図である。
【図２】この発明の第１の実施の形態による簡易締結装置のナットケースの構成を示す構造図である。
【図３】この発明の第１の実施の形態による簡易締結装置のネジ駒の構成を示す構造図である。
【図４】この発明の第１の実施の形態による簡易締結装置のナットケースにネジ駒を収納するためのカバー体の構成を示す構造図である。
【図５】この発明の第１の実施の形態による簡易締結装置の各部の動作を示す動作説明図である。
【図６】この発明の第２の実施の形態による簡易締結装置の構成および各部の動作を示す構造図である。
【図７】この発明の第３の実施の形態による簡易締結装置の構成を示す構造図である。
【図８】この発明の第４の実施の形態による簡易締結装置の構成を示す構造図である。
【図９】この発明の第５の実施の形態による簡易締結装置の構成を示す構造図である。
【図１０】この発明の実施の形態例による簡易締結装置の用途例を示す説明図である。
【図１１】この発明の実施の形態例による簡易締結装置の用途例を示す説明図である。
【図１２】この発明の実施の形態例による簡易締結装置の用途例を示す説明図である。
【図１３】この発明の第６の実施の形態による簡易締結装置の構成および各部の動作を示す構造図である。
【図１４】この発明の第７の実施の形態による簡易締結装置の構成および各部の動作を示す構造図である。
【符号の説明】
１  ナットケース（雌ネジケース）
１ｂ  雄ネジ挿通孔
１ｆ，１ｅ  弾性舌状部材
２，３  ネジ駒
２ｃ，３ｃ  小径部（突出部）
２ｅ，３ｅ  溝（ネジ駒一体化手段）
２ｇ，３ｇ  弾性舌状部材
２ｆ，３ｆ  嵌合凸部（突出部側係止部）
４  Ｏリング（ネジ駒一体化手段）
５  カバー体（雌ネジケース）
６  ネジ駒保持部材（拘束部材）
６ｂ  嵌合凹部（拘束部材側係止部）
【図１】
0003944758.tif 000002
【図２】
0003944758.tif 000003
【図３】
0003944758.tif 000004
【図４】
0003944758.tif 000005
【図５】
0003944758.tif 000006
【図６】
0003944758.tif 000007
【図７】
0003944758.tif 000008
【図８】
0003944758.tif 000009
【図９】
0003944758.tif 000010
【図１０】
0003944758.tif 000011
【図１１】
0003944758.tif 000012
【図１２】
0003944758.tif 000013
【図１３】
0003944758.tif 000014
【図１４】
0003944758.tif 000015